(57)【特許請求の範囲】
【請求項１】
複数の素材が積層されて一体化された本体（１）により構成されるブランケット（１００Ａ，１００Ｂ）において、
前記ブランケット（１００Ａ，１００Ｂ）下部の左右両側に第１ボタン群（３１）を備え、
前記第１ボタン群（３１）は、
上側のボタン群（３１ａ）と下側のボタン群（３１ｂ）とを備え、前記上側及び下側のボタン群（３１ａ、３１ｂ）は、１又は複数のボタンを備え、
前記上側のボタン群（３１ａ）の係合部と、前記下側のボタン群（３１ｂ）の係合部とは、前記ブランケット（１００Ａ，１００Ｂ）の互いに異なる面の左右の端部に同一線状に並べて設けられ、
前記ブランケット（１００Ａ，１００Ｂ）の下部が折り返され、折り返し部分の左右の端部がさらに内側に折り返されて前記上側のボタン群（３１ａ）と前記下側のボタン群（３１ｂ）とが互いに対面し係合することにより、前記ブランケット（１００Ａ，１００Ｂ）の折り返し状態が維持される
ことを特徴とするブランケット（１００Ａ、１００Ｂ）。
【請求項２】
前記上側のボタン群（３１ａ）の係合部は、
前記ブランケット（１００Ａ，１００Ｂ）の裏地（１Ｂ）側の面に配置され、
前記下側のボタン群（３１ｂ）の係合部は、
前記ブランケット（１００Ａ，１００Ｂ）の表地（１Ａ）側の面に配置される
ことを特徴とする請求項１に記載のブランケット（１００Ａ、１００Ｂ）。
【請求項３】
前記上側のボタン群（３１ａ）は、
前記下側のボタン群（３１ｂ）よりもボタンの数が多い
ことを特徴とする請求項１又は２に記載のブランケット（１００Ａ、１００Ｂ）。
【請求項４】
前記ブランケット（１００Ａ、１００Ｂ）上部の左右両側にループ形成部（４Ｒ、４Ｌ）を備え、
前記ループ形成部（４Ｒ、４Ｌ）は、
前記ブランケット（１００Ａ，１００Ｂ）の本体（１）から延びる取付部材（４１、４２）と、
一方が前記取付部材（４１、４２）に配置され、他方が前記本体（１）の上部に配置された１対の第２ボタン（３２ａ、３２ｂ）と、
一方が前記取付部材（４１、４２）の前記第２ボタン（３２ａ）と異なる位置に配置され、他方が前記本体（１）の上部の前記第２ボタン（３２ｂ）と異なる位置に配置された１対の第３ボタン（３３ａ、３３ｂ）とを備え、
前記取付部材（４１、４２）がキャリアの被取付部材に巻き回され、前記１対の第２ボタン（３２ａ、３２ｂ）が互いに係合するか又は前記１対の第３ボタン（３３ａ、３３ｂ）が互いに係合することにより、前記キャリアに前記ブランケット（１００Ａ、１００Ｂ）が取り付けられ、
前記第２ボタン（３２ａ、３２ｂ）と前記第３ボタン（３３ａ、３３ｂ）とは、互いに係合しない
ことを特徴とする請求項１〜３のいずれか一項に記載のブランケット（１００Ａ、１００Ｂ）。
【請求項５】
前記第２ボタン（３２ａ、３２ｂ）と前記第３ボタン（３３ａ、３３ｂ）とは、互いに外観が異なる
ことを特徴とする請求項４に記載のブランケット（１００Ａ、１００Ｂ）。
【請求項６】
前記ブランケット（１００Ａ，１００Ｂ）の本体（１）から延びる留め部材（６）と、
一方が前記留め部材（６）に配置され、他方が前記本体（１）に配置された１対の第４ボタン（３４ａ、３４ｂ）とを備え、
前記ブランケット（１００Ａ、１００Ｂ）が丸め込まれ、前記１対の第４ボタン（３４ａ、３４ｂ）が互いに係合することにより、前記ブランケット（１００Ａ、１００Ｂ）の丸め込まれた状態が維持される
ことを特徴とする請求項１〜５のいずれか一項に記載のブランケット（１００Ａ、１００Ｂ）。
【請求項７】
フード（１０）と、
前記フード（１０）に配置された第５ボタン（３５）とを備え、
前記第５ボタン（３５）と前記ブランケット（１００Ａ、１００Ｂ）に配置された第４ボタン（３４ｂ）とが互いに係合することにより、前記フード（１０）が前記本体（１）に固定される
ことを特徴とする請求項６に記載のブランケット（１００Ａ、１００Ｂ）。
【請求項８】
前記ブランケット（１００Ａ、１００Ｂ）の表地（１Ａ）側の面にポケット（７）を備える
ことを特徴とする請求項１〜７のいずれか一項に記載のブランケット（１００Ａ、１００Ｂ）。
【請求項９】
前記ブランケット（１００Ａ、１００Ｂ）下部の左右中央部に１対の第６ボタン（３６ａ、３６ｂ）を備え、
前記１対の第６ボタン（３６ａ、３６ｂ）は、折り返し位置の上側と下側にそれぞれ配置され、
前記ブランケット（１００Ａ、１００Ｂ）の下部が前記折り返し位置で折り返され、前記１対の第６ボタン（３６ａ、３６ｂ）が互いに係合することにより、前記ブランケット（１００Ａ、１００Ｂ）の折り返し状態が維持されるとともに、前記折り返しにより形成された袋状の収容部が左右に分けられる
ことを特徴とする請求項１〜８のいずれか一項に記載のブランケット（１００Ａ、１００Ｂ）。
【請求項１０】
前記ブランケット（１００Ａ、１００Ｂ）上部の左右両側に伸縮部（５）を備える
ことを特徴とする請求項１〜９のいずれか一項に記載のブランケット（１００Ａ、１００Ｂ）。
【発明の詳細な説明】
【技術分野】
【０００１】
本発明は、ブランケットに関する。
【背景技術】
【０００２】
従来、幼児の防寒用のブランケットのなかには、掛布として使用するだけでなく、抱っこ紐やベビーカー等のキャリアに取り付けて使用できるブランケットがある。キャリア使用時に幼児の足元が露出しないように、袋状の足入れ部が設けられたブランケット（特許文献１参照。）や、紐を引き出すことで袋状に形成できるブランケット（特許文献２参照。）等が提案されている。
【０００３】
またブランケットの下部を折り返して両側をボタンで閉じることにより、袋状の収容部を一時的に形成できるブランケットが提案されている。例えば、略方形状のブランケットの下部の左右両側にスナップボタン等の止め部材が設けられ、ブランケットを折り曲げて止め部材を係合させることにより、幼児の足を包み込む折り曲げ状態を維持できるブランケットがある（特許文献３参照。）。
【先行技術文献】
【特許文献】
【０００４】
【特許文献１】実用新案登録第３１１５０８８号公報
【特許文献２】特許第６０３８７４６号公報
【特許文献３】特開２００５−２９０６５３号公報
【発明の概要】
【発明が解決しようとする課題】
【０００５】
上記のように一時的に収容部を形成するタイプのブランケットは、キャリアに使用する場合は折り返すことで幼児の足を包み込むことができ、折り返しを展開することでひざ掛け等の掛布として使用することができる。多用途に対応した形状で使用できるため、利便性が高い。
【０００６】
しかし幼児の活発な動きでボタンの係合が外れてしまうことがある。例えば、上記特許文献３に記載されたブランケットでは、係止部材と被係止部材とを係合させたときにその係合部分に幼児の足が接触すると、接触時の負荷が大きくかかり係合が外れることがある。また上記止め部材と折り曲げ位置との間が開口するため、開口部分から幼児の足が露出することがあり、防寒作用も十分ではない。
【０００７】
本発明は、折り返し状態を維持しやすく、防寒性に優れたブランケットの提供を目的とする。
【課題を解決するための手段】
【０００８】
本発明の一態様によれば、ブランケット（１００Ａ、１００Ｂ）下部の左右両側に第１ボタン群（３１）を備え、第１ボタン群（３１）は、上側のボタン群（３１ａ）と下側のボタン群（３１ｂ）とを備え、上側及び下側のボタン群（３１ａ、３１ｂ）は、１又は複数のボタンを備え、上側のボタン群（３１ａ）の係合部と、前記下側のボタン群（３１ｂ）の係合部とは、ブランケット（１００Ａ、１００Ｂ）の互いに異なる面に設けられ、ブランケット（１００Ａ、１００Ｂ）の下部が折り返されて上側のボタン群（３１ａ）と下側のボタン群（３１ｂ）とが互いに係合することにより、ブランケット（１００Ａ、１００Ｂ）の折り返し状態が維持されることを特徴とするブランケット（１００Ａ、１００Ｂ）が提供される。
【発明の効果】
【０００９】
本発明によれば、折り返し状態を維持しやすく、防寒性に優れたブランケットを提供できる。
【図面の簡単な説明】
【００１０】
【図１】本実施形態のブランケットを表地側から示す平面図である。
【図２】本実施形態のブランケットを裏地側から示す平面図である。
【図３】折り返し状態にあるブランケットを示す平面図である。
【図４】丸め込まれた状態にあるブランケットを示す平面図である。
【図５】抱っこ紐に取り付けたブランケットの使用例を示す斜視図である。
【図６】ベビーカーに取り付けたブランケットの使用例を示す斜視図である。
【図７】本実施形態の変形例に係るブランケットを示す平面図である。
【発明を実施するための形態】
【００１１】
以下、本発明のブランケットの実施形態について、図面を参照して説明する。以下に説明する構成は、本発明の一実施態様としての一例（代表例）であり、本発明は以下に説明する構成に限定されない。なお以下の説明において、上とは図面中の方向Ｙ１をいい、下とは図面中の方向Ｙ２をいう。また右とは図面中の方向Ｘ１をいい、左とは図面中の方向Ｘ２をいう。
【００１２】
図１は、本発明の一実施形態のブランケット１００Ａを表地１Ａ側から示す平面図である。図２は、ブランケット１００Ａを裏地１Ｂ側から示す平面図である。
【００１３】
ブランケット１００Ａは、防寒具として多用途を有し、例えばおくるみ、ひざ掛け等の掛布として使用することができる。またブランケット１００Ａは、抱っこ紐、ベビーカー、チャイルドシート等の幼児のキャリアに取り付けて使用することもできる。ブランケット１００Ａは、展開時は略方形だが、ブランケット１００Ａの下部を折り返すことで幼児の足元を包む袋状の収容部を一時的に形成することができる。
【００１４】
図１及び図２に示すように、ブランケット１００Ａは、ブランケット本体１及びフード１０を備える。ブランケット本体１は、略方形であり、表地１Ａの全面に裏地１Ｂが縫い合わされ、端部がパイピング処理されている。ブランケット本体１は、表地１Ａと裏地１Ｂの間に綿や羽毛等が配置されたキルティングであると、防寒性により優れ、好ましい。
【００１５】
表地１Ａ及び裏地１Ｂの素材としては特に限定されないが、表地１Ａとしては保温性、防水性、防風性等に優れた素材、例えばナイロン、ポリエステル等の合成繊維を用いることができる。
【００１６】
裏地１Ｂとしては、肌触り、柔軟性、保温性等に優れた素材、例えばフリース、ボア、綿等を用いることができる。
【００１７】
ブランケット１００Ａは、後述する第１ボタン群３１等の複数のボタンを備える。ブランケット１００Ａに用いられる各種ボタンは、例えばスナップボタンであり、凸状の係合部を有する雄ボタンと凹状の係合部を有する雌ボタンの対で配置される。
【００１８】
図１及び図２において、内側が濃い二重丸は凸状の係合部が設けられたボタンの面を表し、外側が濃い二重丸は凹状の係合部が設けられたボタンの面を表す。一重丸は係合部がないボタンの面を表す。またブランケット１００Ａに用いられる各種ボタンの素材は限定されず、例えば樹脂、金属等が挙げられるが、アレルギー対策の観点からは樹脂が好ましい。
【００１９】
（第１ボタン群）
ブランケット本体１の下部の左右両側には、それぞれ第１ボタン群３１が設けられている。第１ボタン群３１は、上側に配置されたボタン群３１ａと、下側に配置されたボタン群３１ｂとを備える。
【００２０】
裏地１Ｂが内側となるように、ブランケット１００Ａを折り返し位置Ｊにおいて折り返し、各ボタン群３１ａ及び３１ｂを係合させることでブランケット１００Ａの折り返し状態が維持される。折り返しによりブランケット１００Ａの下部に形成された袋状の収容部に幼児の足を収容することで、足元を包み込むことができ、防寒性が向上する。
【００２１】
上側のボタン群３１ａの係合部と下側のボタン群３１ｂの係合部とは、ブランケット１００Ａの互いに異なる面側に配置されている。そのため、両者を係合させるときは表地１Ａと裏地１Ｂが対面するように、ブランケット本体１の上側のボタン群３１ａが配置された部分と、下側のボタン群３１ｂが配置された折り返し部分とが重ねられる。
【００２２】
本実施形態では、上側のボタン群３１ａの係合部は裏地１Ｂ側の面に配置され、下側のボタン群３１ｂの係合部は表地１Ａ側の面に配置されているが、配置される面が逆の関係であってもよい。また上側のボタン群３１ａの係合部は凹状であり、下側のボタン群３１ｂの係合部は凸状であるが、係合する形状が逆の関係であってもよい。裏地１Ｂに配置される係合部が凹状であると、係合部に触れたときの不快感が少なく、好ましい。
【００２３】
図３は、折り返し状態にあるブランケット１００Ａを示す。下側のボタン群３１ｂが配置されたブランケット本体１の下部が折り返され、その折り返し部分の左右両端部上に、上側のボタン群３１ａが配置されたブランケット本体１の左右両端部が重ねられている。
【００２４】
表地１Ａ側の面に配置された下側のボタン群３１ｂの凸状の係合部と、裏地１Ｂ側の面に配置された上側のボタン群３１ａの凹状の係合部とが互いに係合し、折り返し状態が維持されている。
【００２５】
このように本実施形態の配置によれば、各ボタン群３１ａ及び３１ｂは単に折り返した状態で係合するのではなく、それぞれが配置されたブランケット本体１の左右両端部が重ねられた状態で係合する。ボタン群３１ａ及び３１ｂの各係合部は重ねられたブランケット本体１の間に位置し、係合部分が収容部内で露出しないため、収容部内で幼児の足が係合部分に直接接触することを防ぐことができる。
【００２６】
これにより接触時に加わる負荷を緩和して係合が外れることを抑えることができ、折り返し状態を維持しやすい。またブランケット本体１の重なりにより収容部の左右両側の開口を塞ぐことができ、防寒性がより高まる。
【００２７】
本実施形態において、上側のボタン群３１ａのボタン数は４であり、下側のボタン群３１ｂのボタン数の３よりも多い。そのため上側のボタン群３１ａを構成する４つのボタンのうち、下側のボタン群３１ｂと係合させる３つのボタンを選択して、折り返し位置Ｊを変えることができる。
【００２８】
これにより幼児の身長やベビーカーの座面の高さ等に合わせて、折り返し状態にあるブランケット１００Ａの上下方向の長さを調整することができる。例えばボタン群３１ａを構成する４つのボタンのうち、上側の３つを選択することでブランケット１００Ａの上下方向の長さを短くすることができ、下側の３つを選択することで長くすることができる。
【００２９】
なお各ボタン群３１ａ及び３１ｂを構成するボタン数は同じであってもよい。この場合、上側のボタン群３１ａと下側のボタン群３１ｂの全部ではなく一部を係合させることにより、折り返し位置Ｊを調整してもよい。
【００３０】
ブランケット本体１の下部の左右中央部には、１対の第６ボタン３６ａ及び３６ｂが配置されている。１対の第６ボタン３６ａ及び３６ｂは、それぞれ折り返し位置Ｊの上側と下側に配置されている。
【００３１】
各ボタン群３１ａ及び３１ｂが互いに係合し、さらに１対の第６ボタン３６ａ及び３６ｂが互いに係合することで、ブランケット１００Ａの折り返し状態がより安定して維持され、折り返し部分の中央部の垂れを防止できる。
【００３２】
また折り返し部分の上側の開口が一部閉じられるため、防寒性がより高まる。さらに折り返しにより形成された袋状の収容部が左右に分けられるため、幼児の両足を別々に収容することができる。
【００３３】
（ループ形成部）
ブランケット本体１の上部の左右両側には、ループ形成部４Ｌ及び４Ｒがそれぞれ設けられている。ループ形成部４Ｌ及び４Ｒは、抱っこ紐、ベビーカー、車や自転車のチャイルドシート等の幼児用のキャリアにブランケット１００Ａを取り付けるためのループを形成する。ループ形成部４Ｌ及び４Ｒは、取付部材４１、１対の第２ボタン３２ａ及び３２ｂ、１対の第３ボタン３３ａ及び３３ｂを備える。
【００３４】
本実施形態の取付部材４１は、ブランケット本体１から上側に延びる紐状部材である。取付部材４１は、ブランケット本体１の左右両側に延びていてもよい。取付部材４１を、キャリアのバンド、ベルト、フレーム等の被取付部材に巻き回してループを形成し、１対の第２ボタン３２ａ及び３２ｂを互いに係合させるか、又は１対の第３ボタン３３ａ及び３３ｂを互いに係合させることにより、ブランケット１００Ａをキャリアに取り付けることができる。
【００３５】
１対の第２ボタン３２ａ及び３２ｂのうち、第２ボタン３２ａは取付部材４１のブランケット本体１と反対側の端部に配置され、第２ボタン３２ｂはブランケット本体１の上部の左右両端部に配置されている。
【００３６】
１対の第３ボタン３３ａ及び３３ｂのうち、第３ボタン３３ａは取付部材４１の中央部付近に配置され、第３ボタン３３ｂはブランケット本体１の上部の左右中央側に配置されている。
【００３７】
第２ボタン３２ａ及び３２ｂが互いに係合したループ形成部４Ｒと、第３ボタン３３ａ及び３３ｂが互いに係合したループ形成部４Ｌとを図３において例示する。ループ形成部４Ｒのように第２ボタン３２ａ及び３２ｂを係合させた場合、ブランケット１００Ａの左右方向の長さは変わらない。
【００３８】
一方、ループ形成部４Ｌのように第３ボタン３３ａ及び３３ｂを係合させた場合、ブランケット１００Ａの左右両側が左右中央側に折り返されるため、ブランケット１００Ａの左右方向の長さは短くなる。
【００３９】
そのため、ベビーカー等のサイズが大きいキャリアへの取付には１対の第２ボタン３２ａ及び３２ｂを好適に使用でき、抱っこ紐等のサイズが小さいキャリアへの取付には１対の第３ボタン３３ａ及び３３ｂを好適に使用できる。このように、キャリアのサイズに合わせて取付時のブランケット１００Ａのサイズを調整することができる。
【００４０】
取付部材４１に配置された第２ボタン３２ａとブランケット本体１に配置された第３ボタン３３ｂとは互いに係合しない。例えば第２ボタン３２ａと第３ボタン３３ｂの各係合部は同じ凹状であり、互いに係合しない。同様に、取付部材４１に配置された第３ボタン３３ａとブランケット本体１に配置された第２ボタン３２ｂも、係合部の形状が同じ凸状であり、互いに係合しない。
【００４１】
そのため、対ではないボタン同士を誤って係合させてしまい、ブランケット１００Ａの左右方向の長さがベビーカーにも抱っこ紐にも不適当となることを防ぐことができる。なお係合部の凹凸の形状を同じにするだけでなく、係合部のサイズや構造を異ならせることにより、互いに係合させないようにしてもよい。
【００４２】
第２ボタン３２ａ及び３２ｂと第３ボタン３３ａ及び３３ｂとは、色、模様、サイズ、形状等の外観が互いに異なる。そのため、対を形成するボタン同士の判別が容易である。例えば第２ボタン３２ａ及び３２ｂを白色、第３ボタン３３ａ及び３３ｂを黄色とし、第２ボタン３２ａ及び３２ｂの直径を第３ボタン３３ａ及び３３ｂよりも大きくすることができる。
【００４３】
（伸縮部）
ブランケット本体１の上部の左右両側には、それぞれ伸縮部５が設けられている。同じ種類のキャリアでも左右方向のサイズはメーカー等によって差異があり、キャリアに取り付けたときのブランケット１００Ａの左右方向のサイズと合わないことがあるかもしれない。このような場合でも、伸縮部５が伸縮することによってキャリアのサイズに合わせることができ、ブランケット１００Ａの汎用性が高まる。
【００４４】
本実施形態の伸縮部５は、ブランケット本体１の上端部にゴム通しを設け、その内部にゴムを通すことで形成されているが、伸縮自在であればこの形成方法に限定されない。
【００４５】
（留め部材）
ブランケット１００Ａは、収納用の留め部材６と、１対の第４ボタン３４ａ及び３４ｂとを備える。留め部材６は、ブランケット本体１から延びる紐状部材である。本実施形態の留め部材６はブランケット本体１の右側（方向Ｘ１）へ延びているが、延びる方向は左側（方向Ｘ２）でも下側（方向Ｙ２）であってもよく、特に限定されない。
【００４６】
第４ボタン３４ａは留め部材６に配置され、第４ボタン３４ｂはブランケット本体１に配置されている。第４ボタン３４ｂは、ブランケット本体１の左右方向において中央部に位置し、上下方向における位置は留め部材６に対応する位置である。第４ボタン３４ａ及び３４ｂの係合部は、ブランケット１００Ａの互いに異なる面に配置されている。
【００４７】
ブランケット１００Ａを上下方向に１又は複数回折った後、左右方向に丸めて１対の第４ボタン３４ａ及び３４ｂを係合させることで、ブランケット１００Ａの丸め込まれた状態が維持される。これにより、収納及び持ち運びが容易となる。
【００４８】
図４は、ブランケット１００Ａが丸め込まれた状態を示す。第４ボタン３４ａ及び３４ｂの係合によりブランケット１００Ａは丸め込まれた状態が維持され、コンパクトに収納される。
【００４９】
（ポケット）
ブランケット１００Ａの表地１Ａ側には、トンネル型のポケット７が設けられている。ポケット７は、トンネルを繋ぐ２つの開口をポケット口７１として備える。ブランケット１００Ａを抱っこ紐に取り付けた場合に、抱っこ紐の装着者はポケット７に手を入れて防寒することができる。また抱っこ紐に支持される幼児をポケット７に入れた手で支えることができる。
【００５０】
（フード）
フード１０は、下方が開口するドーム状に形成され、開口周縁の一部がブランケット本体１の上端部に取り外し可能に取り付けられる。本実施形態のブランケット１００Ａは、フード１０の取付用に１対の第７ボタン群３７ａ及び３７ｂを備える。
【００５１】
第７ボタン３７ａはフード１０の開口周縁の一部、例えば半周分の周縁部に配置され、第７ボタン３７ｂはブランケット本体１の上端部に配置されている。
【００５２】
第７ボタン３７ａ及び３７ｂが互いに係合することでフード１０をブランケット本体１に取り付けることができる。なおフード１０は、ファスナー等のボタン以外の留め具によってブランケット本体１に取り外し可能に取り付けられてもよい。
【００５３】
フード１０は、頭頂部に配置された第５ボタン３５を備える。第５ボタン３５は、収納用にブランケット本体１に配置された第４ボタン３４ｂと係合する係合部を備える。
【００５４】
第５ボタン３５と第４ボタン３４ｂが互いに係合することで、フード１０をブランケット本体１に固定することができる。なおフード１０を固定できるのであれば、第５ボタン３５の配置位置は頭頂部に限定されない。
【００５５】
（使用例１）
図５は、抱っこ紐に取り付けたブランケット１００Ａの使用例を示す。抱っこ紐Ｃ１は、幼児の支持体Ｃ１１、支持体Ｃ１１に連結された１対の肩ベルトＣ１２及び腰ベルトＣ１３等を備える。ブランケット１００Ａの取付部材４１を肩ベルトＣ１２の周囲に巻き回して第３ボタン３３ａ及び３３ｂを係合させることにより、抱っこ紐Ｃ１にブランケット１００Ａを取り付けることができる。
【００５６】
ブランケット１００Ａの下部は折り返されて各ボタン群３１ａ及び３１ｂが係合し、幼児の足の収容部が形成されている。収容部の左右両端部は折り返したブランケット本体１同士が重なって左右両側の開口を閉じているため、防寒性が高い。
【００５７】
また第４ボタン３４ｂと第５ボタン３５が係合して、フード１０がブランケット本体１に固定されており、不使用時のフード１０が幼児の頭部周辺でバタつくことがない。
【００５８】
（使用例２）
図６は、ベビーカーに取り付けたブランケット１００Ａの使用例を示す。ブランケット１００Ａの取付部材４１をベビーカーＣ２のハンドルフレームＣ２１の周囲に巻き回して第２ボタン３２ａ及び３２ｂを係合させることにより、ベビーカーＣ２にブランケット１００Ａを取り付けることができる。
【００５９】
ベビーカーＣ２の場合も抱っこ紐Ｃ１と同様に、ブランケット１００Ａの下部が折り返されて各ボタン群３１ａ及び３１ｂが係合し、幼児の足の収容部が形成されている。また第６ボタン３６ａ及び３６ｂが係合し、幼児の足の収容部は右足と左足のそれぞれの収容部に分けられている。係合により収容部上側の開口が一部閉じられるため、防寒性がより高まる。
【００６０】
以上のように、本実施形態のブランケット１００Ａは、ボタン群３１ａ及び３１ｂの係合によって下部を折り返した状態が維持される。上側のボタン群３１ａと下側のボタン群３１ｂの係合部は、ブランケット本体１の互いに異なる面に配置されている。
【００６１】
そのためボタン群３１ａ及び３１ｂの各係合部はそれぞれが配置されたブランケット本体１の間に位置し、折り返した内側に露出しない。つまり各係合部が幼児の足に直接接触しないため、幼児の活発な動きによって係合が外れにくく、折り返し状態を維持しやすい。
【００６２】
またキャリアへの取り付け用に設けられた、１対の第２ボタン３２ａ及び３２ｂと１対の第３ボタン３３ａ及び３３ｂとは互いに外観が異なり、係合もしない。よって、ベビーカー用の第２ボタン３２ａ及び３２ｂと抱っこ紐用の第３ボタン３３ａ及び３３ｂの判別が容易であり、誤った組み合わせでの係合も防ぐことができる。
【００６３】
以上、本発明の好ましい実施形態について説明したが、本発明はこれらの実施形態に限定されず、その要旨の範囲内で種々の変形及び変更が可能である。
【００６４】
（変形例１）
上記ブランケット１００Ａの取付部材４１の形状は紐状であったが、キャリアに巻き回すためのループを形成できるのであれば、三角形状、略方形状等の他の形状の取付部材を用いてもよい。
【００６５】
図７は、三角形状の取付部材４２を備えるブランケット１００Ｂを表地１Ａ側から示す平面図である。ブランケット１００Ｂは、フードがなく、取付部材の形状が異なること以外は上述したブランケット１００Ａと同じ構成であるので、同じ構成部分には同じ符号を付して詳細な説明を省略する。
【００６６】
取付部材４２は、直角三角形状であり、直角を挟む２辺のうちの一辺がブランケット本体１に取り付けられて、もう一辺がブランケット本体１の左右両側へ延びている。
【００６７】
第２ボタン３２ａ及び第３ボタン３３ａは取付部材４２の上端部に配置され、第２ボタン３２ｂ及び第３ボタン３３ｂはブランケット本体１の上端部に配置されている。ブランケット１００Ｂでは、ブランケット本体１だけでなく取付部材４２の上端部にも伸縮部５が配置されている。
【００６８】
第２ボタン３２ａは取付部材４２の左右両端部に配置され、第２ボタン３２ｂはブランケット本体１の左右両端部に配置されている。第３ボタン３３ａは取付部材４２の左右中央部に配置され、第３ボタン３３ｂはブランケット本体１の左右中央側に配置されている。
【００６９】
第２ボタン３２ａ及び３２ｂを係合させた場合のブランケット１００Ｂの左右方向の長さは、第３ボタン３３ａ及び３３ｂを係合させた場合の長さよりも長い。よって、上述した実施形態と同様に、第２ボタン３２ａ及び３２ｂはベビーカー用、第３ボタン３３ａ及び３３ｂは抱っこ紐用として好適に使用できる。
【００７０】
（変形例２）
ブランケット１００Ａ及び１００Ｂは略方形に形成され、ボタン群３１ａ及び３１ｂは上下に１列に並べられている。しかし、上側のボタン群３１ａの係合部と下側のボタン群３１ｂの係合部がブランケット１００Ａ及び１００Ｂの互いに異なる面に配置されるのであれば、ブランケットの形状やボタンの配置はこれに限定されない。
【００７１】
例えば、ブランケット本体１の折り返し位置Ｊより下側が上側よりも左右方向に突出するように形成され、この突出部分に下側のボタン群３１ｂが配置されてもよい。ブランケット本体１の下部を折り返し、折り返し部分の突出部分をさらに折り返してボタン群３１ａ及び３１ｂを係合させることができる。
【００７２】
この場合も上側のボタン群３１ａの係合部と下側のボタン群３１ｂの係合部とをブランケット本体１の互いに異なる面に配置することで、係合を外れにくくすることができる。
【００７３】
（変形例３）
ブランケット１００Ａ及び１００Ｂの上側のボタン群３１ａ及び下側のボタン群３１ｂは、複数のボタンを備えるため、係合が外れにくく好ましいが、各ボタン群３１ａ及び３１ｂが備えるボタン数は１つであってもよい。
【符号の説明】
【００７４】
１００Ａ，１００Ｂ・・・ブランケット、１・・・ブランケット本体、１Ａ・・・表地、１Ｂ・・・裏地、３１・・・第１ボタン群、３１ａ・・・上側のボタン群、３１ｂ・・・下側のボタン群、３２ａ，３２ｂ・・・第２ボタン、３３ａ，３３ｂ・・・第３ボタン、４Ｒ，４Ｌ・・・ループ形成部、４１，４２・・・取付部材、５・・・伸縮部、６・・・留め部材、７・・・ポケット、１０・・・フード
【図１】
0006850068.tif 000002
【図２】
0006850068.tif 000003
【図３】
0006850068.tif 000004
【図４】
0006850068.tif 000005
【図５】
0006850068.tif 000006
【図６】
0006850068.tif 000007
【図７】
0006850068.tif 000008